(57)【要約】【課題】コンパクトにもかかわらず、多くの陰イオンを発生させることができる陰イオン発生器を提供すること。【解決手段】ケース内に設けられる高電圧発生回路と、ケース内に設けられる放電電極および対向電極とを有する陰イオン発生器にあって、対向電極を環状に形成し、この対向電極の中央に放電電極を配置し、ケースに形成するイオン流出口を対向電極で囲まれるところに設けたことを特徴とする。【選択図】  図１
2004296151.tif 000002
【特許請求の範囲】
【請求項１】
ケースと、このケース内に設けられる高電圧発生回路と、ケース内に設けられる放電電極および対向電極とを有する陰イオン発生器にあって、
前記対向電極を環状に形成し、この対向電極の中央に前記放電電極を配置し、前記ケースに形成するイオン流出口を前記対向電極で囲まれるところに設けたことを特徴とする陰イオン発生器。
【請求項２】
請求項１に記載された陰イオン発生器にあって、
前記放電電極はマイナスの電位が付与れ、前記対向電極はゼロ（アース）の電位が付与されたことを特徴とする陰イオン発生器。
【請求項３】
請求項１に記載された陰イオン発生器にあって、
前記高電圧発生回路に供給する電圧を所定の電圧にする定電圧回路を設けたことを特徴とする陰イオン発生器。
【請求項４】
請求項１に記載された陰イオン発生器にあって、
前記対向電極は、円形を有することを特徴とする陰イオン発生器。
【請求項５】
請求項１に記載された陰イオン発生器にあって、
前記イオン流出口は径が５ｍｍ以下程度の多数の小穴であることを特徴とする陰イオン発生器。
【請求項６】
請求項１に記載された陰イオン発生器にあって、
前記対向電極は、バネ性金属の線材で形成されていることを特徴とする陰イオン発生器。
【請求項７】
請求項５に記載された陰イオン発生器にあって、
前記イオン流出口は、前記ケースの上側に設けられ、かつイオン流出口が設けられるところは円弧状に窪む形状をなすことを特徴とする陰イオン発生器。
【請求項８】
請求項３に記載された陰イオン発生器にあって、
前記定電圧回路に供給される直流電圧は、１２Ｖまたは２４Ｖであることを特徴とする陰イオン発生器。
【請求項９】
請求項８に記載された陰イオン発生器にあって、
前記ケースに直流電源の供給を受けるコンセントを設けたことを特徴とする陰イオン発生器。
【請求項１０】
請求項１に記載された陰イオン発生器にあって、
前記ケースは、着脱自在に重ね合わされる上ケース部と下ケース部を有し、
上ケース部または上ケース部に係止部を設け、この係止部に係合する係合爪を上ケース部または上ケース部に設けたことを特徴とする陰イオン発生器。
【請求項１１】
請求項１に記載された陰イオン発生器にあって、
前記ケースは、着脱自在に重ね合わされる上ケース部と下ケース部を有し、
前記上ケース部に前記イオン流出口を形成するとともに前記対向電極を設け、
下ケース部に前記放電電極を設けたことを特徴とする陰イオン発生器。
【請求項１２】
請求項１１に記載された陰イオン発生器にあって、
前記上ケース部の内側面に下向きに延びるリブを環状に形成し、
前記環状のリブの外周に前記対向電極を嵌合させて取り付け、
前記下ケース部に前記放電電極を設けたことを特徴とする陰イオン発生器。
【請求項１３】
請求項１２に記載された陰イオン発生器にあって、
前記イオン流出口は、前記リブで囲まれる範囲内に多数、設けたことを特徴とする陰イオン発生器。
【発明の詳細な説明】
【０００１】
【発明の属する技術分野】
本発明は、コンパクトで、持ち運びが容易にできる陰イオン発生器に関するものである。
【０００２】
【従来の技術】
従来の陰イオン発生器は、例えば特許文献１に開示されたように装置内の水溜めからポンプにより水を吸い上げて球形の筐体に噴出させてマイナスイオンを発生させ、さらに筐体内の発生したマイナスイオンを電極により加電してマイナスイオン放出口から多量のマイナスイオンを放出させるようにした技術が提案されている。
【０００３】
【特許文献１】
特開２００３−４５６１２号公報
【０００４】
【発明が解決しようとする課題】
しかしながら、特許文献１に開示の技術においては、装置内に水溜めや水を吸い上げるポンプを必要とするため、装置が大型化するといった欠点があった。
【０００５】
本発明は、上記の問題に鑑み、コンパクトな陰イオン発生器にもかかわらず、多くの陰イオンを発生させることができるものを提供することを目的とする。
【０００６】
【課題を解決するための手段】
本発明は、ケース内に設けられる放電電極および対向電極とを有する陰イオン発生器にあって、対向電極を環状に形成し、この対向電極の中央に放電電極を配置し、ケースに形成するイオン流出口を対向電極で囲まれるところに設けたことを特徴とする。
【０００７】
【発明の実施の形態】
本発明の実施形態に係わる実施例を図面に添って説明する。
【０００８】
まず、図１から図４に添って陰イオン発生器の構造を主に説明する。
【０００９】
陰イオン発生器の外観は、ケース１に形成される。ケース１は、上ケース部２、下ケース部３を有する。上ケース部２、下ケース部３は、上下に重ね合わされる。下ケース部３には係合部４が、上ケース部２には前記係合部４に係合する爪５が設けられている。この係合部４と爪５によって上ケース部／下ケース部は、着脱自在に結合される。係合部４を上ケース部に、爪５を下ケース部に変更しても良い。上ケース部／下ケース部は合成樹脂で形成される。上ケース部／下ケース部は、直径が約９ｃｍである。コンパクトで持ち運びが容易である。
【００１０】
上ケース部／下ケース部はお碗のような形状を有し、上下に重ね合わさったケース１の形状は、断面がほぼ楕円形を呈する。
【００１１】
ケース１内には、高電圧発生回路１０、定電圧回路１１、放電電極１２、対向電極１３、直流電源の供給を受けるコンセント１４、スイッチ１５が備わる。
【００１２】
高電圧発生回路１０は、下ケース部３に設けられている高電圧発生回路支持部２０に嵌め込むようにして支持される。定電圧回路１１は、下ケース部３に設けられている定電圧回路支持部ボス２１にネジ等で締結される。コンセント１４、およびスイッチ１５は、上ケース部／下ケース部の重ね合わせ部分に挟持される。
【００１３】
放電電極１２は、下ケース部３に設けた支持ピン３０の間に挟まるように支持される。この３本の支持ピン３０は、下ケース部３の内側中央底面から立ち上がるように形成されている。
【００１４】
上ケース部２には、内側上面（内側面）から下向きに延在する環状のリブ３１が設けられ、このリブ３１の外周に嵌合するように対向電極１３は取り付けられる。対向電極１３は、バネ性金属の線材を円形に環状に曲げて形成される。対向電極１３の内径は、リブ３１の外径よりも幾分小径に作られているので、リブ３１の付け根部位に保持され、容易に脱落することはない。対向電極１３は、それ自体の弾性力でリブ３１に保持されるのでネジ等の止め部品が不要であるとともに取り付け、取り外しが容易であり、保守／点検が簡単にできる。対向電極１３の外周側近傍には、陰イオン発生器の運転を示す表示用のランプ３３（ＬＥＤを用いている）が備わる。
【００１５】
上記リブ３１は、上ケース部２の中心に対して同心円を描くように中央に形成されているので、対向電極１３は上ケース部２の中央に置かれる。また放電電極１２も、下ケース部３の中央に設けられているので、ケース１の中央に対向電極１３が置かれ、この対向電極１３の中央に放電電極１２が置かれるような関係になるのである。
【００１６】
上ケース部２はイオン流出口３２を有する。このイオン流出口３２はリブ３１で囲まれる範囲内に多数個形成される。イオン流出口３２は、径が５ｍｍ程度以下の小穴で、手の指がケース１の内部に入るのを防いでいる。イオン流出口３２が形成されているところは、円弧状に窪むような形状を呈している。
【００１７】
下ケース部３は、下側下面に支持足４０を有する。また下ケース部３の底には水抜き穴４１が設けられている。
【００１８】
図５に示すように定電圧回路１１の入力側はコンセント１４に接続されている。コンセント１４は、（＋）端子と（−）端子を有する。定電圧回路１１の出力側は高電圧発生回路１０の入力側に接続されている。定電圧回路１１は、電圧の異なる入力を所定の出力に変換する。１２Ｖ、２４Ｖの入力電圧を１２Ｖの出力電圧に変換して高電圧発生回路１０に一定電圧の電力を供給する。
【００１９】
定電圧回路１１は、１２Ｖの入力を５ＫＶに昇圧して出力する。定電圧回路１１の（−）側出力端子に前記放電電極１２（マイナスの電位が付与される。）が、他方の出力端子に前記対向電極１３が接続される。前記対向電極１３はアースされ、ゼロＶの電位が付与されることになる。
【００２０】
図６に示すプラグコード５０は、前記コンセント１４に着脱自在に接続するプラグ５１と、自動車のタバココンセントに着脱自在に接続するプラグ５２を有する。このプラグコード５０を用いて、自動車内で本発明の陰イオン発生器を使用することができる。
【００２１】
図７に示すアダプタ６０は、商用電源を１２Ｖまたは２４Ｖの直流電圧に変換するもので、電源プラグ６１と、前記コンセント１４に着脱自在に接続するプラグ６２を有する。このアダプタ６０を用いて、室内で本発明の陰イオン発生器を使用することができる。
【００２２】
次に本発明の陰イオン発生器を動作の面から説明する。
【００２３】
放電電極１２と対向電極１３には、５ＫＶの電位差を印加されるので、両電極間に放電が発生する。この放電で生成された陰イオンは、イオン流出口３２からケース１の外に放出される。
【００２４】
陰イオンの生成で、ケース１内の陰イオンの存在量が増加することにより、自然にイオン流出口３２からイオン風となって流出する。自然流出になるので、フアン等の送風手段が不要で、極めてコンパクトな陰イオン発生器を提供できる。
【００２５】
陰イオンの生成が行なわれる放電は、放電電極１２と、この放電電極１２をぐるりと囲う環状の対向電極１３との間で生ずる。つまり、放電電極１２から対向電極１３に向けた放射状の放電発生になるので、コンパクトな陰イオン発生器にもかかわらず、大きな拡がりの放電を作ることができ、多くの陰イオンが生成されるのである。
【００２６】
また対向電極１３は、放電電極１２の上側に位置するように配置されている。このため、前記放電の放射は円錐形状のようになるので、より大きな拡がりの放電になって、より多くの陰イオンが作られる。
【００２７】
多数のイオン流出口３２は対向電極１３に囲まれる範囲内に設けられ、このイオン流出口３２の真下で、放電による陰イオンの生成が行なわれ、自然に陰イオンが流出するイオン風ができやすく、生成された陰イオンは効率を放出することができる。
【００２８】
図８に沿って、本発明の陰イオン発生器の陰イオン発生量を説明する。
【００２９】
陰イオン発生量から離れた各位置での陰イオンの量を示すもので、立方ｃｍ当たりの陰イオン個数を計測したデータである。陰イオン発生部から離れるに従い拡散し、陰イオン個数が少なくなる。本発明を採用したＮＯ．１およびＮＯ．２の陰イオン発生器には、陰イオンの量に大きなバラツキがなく、本発明の陰イオン発生器は安定した陰イオン発生が期待できる。
【００３０】
【発明の効果】
以上述べたように本発明によれば、コンパクトにもかかわらず、多くの陰イオンを発生させる陰イオン発生器を提供できる。
【図面の簡単な説明】
【図１】本発明の実施例に係わるもので、陰イオン発生器の平面図である。
【図２】本発明の実施例に係わるもので、図１を（イ）―（イ）方向から見た断面をも加えたである。
【図３】本発明の実施例に係わるもので、図１を（ロ）―（ロ）方向から見た断面をも加えた図である。
【図４】本発明の実施例に係わるもので、図１を（ハ）―（ハ）方向から見た断面をも加えた図である。
【図５】本発明の実施例に係わるもので、陰イオン発生器の全体回路図である。
【図６】本発明の実施例に係わるもので、自動車のタバココンセントと陰イオン発生器をつなぐプラグコードである。
【図７】本発明の実施例に係わるもので、商用電源を１２Ｖまたは２４Ｖに変換するアダプタである。
【図８】本発明の実施例に係わるもので、単位体積あたりの陰イオン発生量を示すグラフである。
【符号の説明】
１…ケース、１０…高電圧発生回路、１１…定電圧回路、１２…放電電極、１３…対向電極、３１…リブ、３２…イオン流出口。
【図１】
2004296151.tif 000003
【図２】
2004296151.tif 000004
【図３】
2004296151.tif 000005
【図４】
2004296151.tif 000006
【図５】
2004296151.tif 000007
【図６】
2004296151.tif 000008
【図７】
2004296151.tif 000009
【図８】
2004296151.tif 000010